(57)【要約】【課題】板体に形成された貫通口へ板体の外側から容易に取り付けることができる飾り窓を得る。【解決手段】飾り窓１４は、貫通口１２の周囲を覆うように嵌められる枠部材１６と、この枠部材１６の開口部に取り付けられる透光部材１８を備えている。この飾り窓１６を板体であるドア１０の外側から貫通口１２の周囲を覆うように嵌めると、枠部材１２に設けられた爪部２６が貫通口１２の口縁１２Ａと係合し、飾り窓１４が板体に取り付けられる。つまり、貫通口１２の周囲を覆うように嵌められる枠部材１６に口縁１２Ａと係合する爪部２６を設けることで、飾り窓１４をドア１０の外側から貫通口１２へ容易に取り付けることができる。【選択図】図１
2008214861.tif 000002
【特許請求の範囲】
【請求項１】
板体に形成された貫通口の口縁と係合する第一係合爪が設けられ、前記貫通口の周囲を覆うように嵌められる枠部材と、
前記枠部材の開口部に取り付けられ、光りを透過する板状の透光部材と、
を備えることを特徴とする飾り窓。
【請求項２】
前記透光部材には、前記口縁と係合する第二係合爪が設けられ、前記貫通口へ挿入される前記枠部材の周壁には、前記第二係合爪が前記枠部材の周壁の外側へ突出する切欠部が設けられることを特徴とする請求項１記載の飾り窓。
【請求項３】
前記透光部材の外周部に沿って形成された周壁には、係合部が設けられ、前記枠部材の周壁には、前記係合部と係合する被係合部が設けられることを特徴とする請求項１又は２記載の飾り窓。
【請求項４】
前記枠部材の周壁の外周には、凸状のリブが設けられることを特徴とする請求項２又は３記載の飾り窓。
【請求項５】
前記枠部材は、前記貫通口の表面へ嵌められる雄型枠部材と、裏面へ嵌められる雌型枠部材とで構成され、前記貫通口へ前記雄型枠部材及び前記雌型枠部材が嵌められたとき、前記雄型枠部材の雄型周壁が前記雌型枠部材の雌型周壁に嵌ることを特徴とする請求項１から４何れか１項に記載された飾り窓。
【請求項６】
前記貫通口の縁周部にはザクリ部が形成され、前記枠部材から突出したフランジ部がザクリ部に嵌ることを特徴とする請求項１から５何れか１項に記載された飾り窓。
【請求項７】
前記透光部材の材料は、ポリカーボネイト、アクリル、ナイロン、又はＡＢＳであることを特徴とする請求項１から６何れか１項に記載された飾り窓。
【請求項８】
前記透光部材の材料は、着色されていることを特徴とする請求項１から７何れか１項に記載された飾り窓。
【発明の詳細な説明】
【技術分野】
【０００１】
本発明は、ドア等の板体に形成された貫通口に嵌められる飾り窓に関する。
【背景技術】
【０００２】
ガラス板等の光を透過する透光部材を備えた飾り窓が、ドアに設けられた貫通口に取り付けられたものがある。（例えば、特許文献１）
これによると、２枚の板材を袋状してドアを構成する前に、２枚の板材に同形状の貫通口を形成し、この貫通口に夫々透光部材をドアの内部となる側から嵌め込み、さらに、円筒状の芯材を２個の透光部材の間に配置した後に、２枚の板材を袋状としてドアを構成するようになっている。
【特許文献１】特開２００６−３７４３４号公報
【発明の開示】
【発明が解決しようとする課題】
【０００３】
しかしながら、この飾り窓によると、板材を袋状にする前に透光部材等を板材の内側から貫通口へ嵌め込まなければならないため、ドアを構成した後に飾り窓を取り付けることは困難であった。
【０００４】
本発明は、上記事実を考慮し、板体に形成された貫通口へ板体の外側から容易に取り付けることができる飾り窓を提供することが課題である。
【課題を解決するための手段】
【０００５】
本発明の請求項１に係る飾り窓は、板体に形成された貫通口の口縁と係合する第一係合爪が設けられ、前記貫通口の周囲を覆うように嵌められる枠部材と、前記枠部材の開口部に取り付けられ、光りを透過する板状の透光部材と、を備えることを特徴とする。
【０００６】
上記構成によれば、飾り窓は、貫通口の周囲を覆うように嵌められる枠部材と、この枠部材の開口部に取り付けられる透光部材を備えている。
【０００７】
この飾り窓を板体の外側から貫通口の周囲を覆うように嵌めると、枠部材に設けられた第一係合爪が貫通口の口縁と係合し、飾り窓が板体に取り付けられる。
【０００８】
つまり、貫通口の周囲を覆うように嵌められる枠部材に口縁と係合する第一係合爪を設けることで、飾り窓を板体の外側から貫通口へ容易に取り付けることができる。
【０００９】
本発明の請求項２に係る飾り窓は、請求項１記載において、前記透光部材には、前記口縁と係合する第二係合爪が設けられ、前記貫通口へ挿入される前記枠部材の周壁には、前記第二係合爪が前記枠部材の周壁の外側へ突出する切欠部が設けられることを特徴とする。
【００１０】
上記構成によれば、飾り窓を板体の外側から貫通口へ取り付けると、透光部材に設けられた第二係合爪が、枠部材の周壁に設けられた切欠部から外側に突出して、貫通口の口縁と係合する。
【００１１】
このように、透光部材に設けられた第二係合爪を直接口縁と係合させることで、板体に対する透光部材の組付位置精度を向上させることができる。
【００１２】
また、透光部材だけを試験的に口縁へ係合させて取り付けた感じをつかむことができる。
【００１３】
本発明の請求項３に係る飾り窓は、請求項１又は２記載において、前記透光部材の外周部に沿って形成された周壁には、係合部が設けられ、前記枠部材の周壁には、前記係合部と係合する被係合部が設けられることを特徴とする。
【００１４】
上記構成によれば、透光部材の周壁に設けられた係合部を枠部材の周壁に設けられた被係合部へ係合させることで、透光部材を枠部材へ容易に取り付けることができる。
【００１５】
本発明の請求項４に係る飾り窓は、請求項２又は３記載において、前記枠部材の周壁の外周には、凸状のリブが設けられることを特徴とする。
【００１６】
上記構成によれば、枠部材の周壁に設けられた凸状のリブが口縁と当り枠部材が貫通口に嵌るため、貫通口の形状のバラツキを吸収して装着後のガタを防止する。
【００１７】
本発明の請求項５に係る飾り窓は、請求項１から４何れか１項記載において、前記枠部材は、前記貫通口の表面へ嵌められる雄型枠部材と、裏面へ嵌められる雌型枠部材とで構成され、前記貫通口へ前記雄型枠部材及び前記雌型枠部材が嵌められたとき、前記雄型枠部材の雄型周壁が前記雌型枠部材の雌型周壁に嵌ることを特徴とする。
【００１８】
上記構成によれば、枠部材は、貫通口の表面へ嵌められる雄型枠部材と、裏面へ嵌められる雌型枠部材とで構成され、貫通口へ雄型枠部材及び雌型枠部材を嵌めると、雄型枠部材の雄型周壁が雌型枠部材の雌型周壁に嵌る。
【００１９】
これにより、板体が表板と裏板との間に補強部材をサンドイッチした三重構造の場合でも、透光部材を通して、板体の内部に配置されたダンボール等の補強部材を視認することができず、外観品質を向上させることができる。
【００２０】
本発明の請求項６に係る飾り窓は、請求項１から５何れか１項記載において、前記貫通口の縁周部にはザクリ部が形成され、前記枠部材から突出したフランジ部がザクリ部に嵌ることを特徴とする。
【００２１】
上記構成によれば、貫通口の縁周部に形成されザクリ部に、枠部材から突出したフランジ部が嵌る。
【００２２】
つまり、ザグリ部にフランジ部を嵌めることで、板体に対する飾り窓の突出量を減らすことができ、外観品質を向上させることができる。
【００２３】
本発明の請求項７に係る飾り窓は、請求項１から６何れか１項記載において、前記透光部材の材料は、ポリカーボネイト、アクリル、ナイロン、又はＡＢＳであることを特徴とする。
【００２４】
上記構成によれば、透光部材は、ポリカーボネイト、アクリル、ナイロン、又はＡＢＳにより成形されている。つまり、汎用性のある樹脂材料を使用することで安価な部品とすることができる。
【００２５】
本発明の請求項８に係る飾り窓は、請求項１から７何れか１項記載において、前記透光部材の材料は、着色されていることを特徴とする。
【００２６】
上記構成によれば、透光部材の材料は着色されているため、透光部材を通して板体の内側を容易に目視することができず、プライバシーを保護した上で光を透過させることができる。
【発明の効果】
【００２７】
本発明によれば、板体に形成された貫通口へ板体の外側から飾り窓を容易に取り付けることができる。
【発明を実施するための最良の形態】
【００２８】
本発明の第１実施形態に係る飾り窓について図１〜図５に従って説明する。
【００２９】
図５に示されるように、板体としてのドア１０は２枚の板材１０Ａ、１０Ｂを備えており、この板材１０Ａ、１０Ｂを貫通するように円形状の貫通口１２がドア１０に形成されている。さらに、この貫通口１２へドア１０の外側から取り付けることができる飾り窓１４が示されている。
【００３０】
この飾り窓１４は、ドア１０の表面及び裏面から取付けられるようになっている。図３に示されるように、飾り窓１４は、貫通口１２（図５参照）へ嵌められる枠部材１６と、この枠部材１６の開口部１７に取り付けられる透光部材１８を備えている。
【００３１】
枠部材１６は、ＡＢＳ樹脂を材料として成形されており、ドア１０に取り付けられた状態で貫通口１２の周囲を覆うドーナツ状の枠部２０（図４（Ａ）参照）を備えている。この枠部２０の裏面中央（ドア１０に取り付けられた状態で隠れる面）には、略円筒状の周壁２２が立設されている。
【００３２】
また、枠部２０の内周縁からは環状リブ１０１が立設され、枠部２０の剛性を上げると共に、円形の開口部１７（図３参照）を形成している。
【００３３】
さらに、図４（Ａ）に示されるように、枠部２０のツバ部２０Ｂからは、環状リブ１０１に向ってスリバチ状のテーパー面２０Ａが形成されている。このテーパー面２０Ａは、環状リブ１０１に支持されている透光部材１８の窓枠として奥行を持たせている。
【００３４】
一方、図３に示されるように、周壁２２の外表面には、飾り窓１４の挿入方向（以下単に挿入方向と言う）に延びる半円柱状のリブ２４が複数個設けられており、挿入方向の先端には、テーパー２４Ａが形成され、貫通口１２へ挿入しやすくなっている。このリブ２４の高さは、ドア１０に飾り窓１４が取り付けられた状態で、リブ２４が口縁１２Ａを押圧するように決められている。
【００３５】
さらに、周壁２２の外表面には、平面状の立壁２２Ａが対向するように設けられている。
【００３６】
図２（Ｂ）に示されるように、立壁２２Ａには爪部２６が設けられている。爪部２６は、一端が立壁２２Ａの端部から外側に拡がりながら枠部２０へ向って延びる板状のガイド部２８と、このガイド部２８の端部から立壁２２Ａと平行に枠部２０へ向って延びる板状の係止部３０を備えている。また、係止部３０の外面には、内側へ傾く傾斜面３０Ａが形成されている。
【００３７】
この構成により、爪部２６を貫通口１２へ挿入すると、ガイド部２８が貫通口１２の口縁１２Ａに当って内側へ撓み、さらに押し込んでいくと、ガイド部２８が元の位置に復帰すると共に、係止部３０の傾斜面３０Ａが口縁１２Ａと当って、爪部２６が貫通口１２から抜けないようになっている。
【００３８】
また、図３に示されるように、周壁２２における、一対の爪部２６の間には、後述する透光部材１８に設けられた爪部４４を周壁２２の外側へ突出させる矩形状の切欠部３１が設けられている。
【００３９】
さらに、周壁２２における、爪部２６と切欠部３１の間には、矩形状の貫通孔である係止孔３２が設けられており、後述する透光部材１８に設けられた係合突起５０が係合するようになっている。
【００４０】
一方、透光部材１８は、光りを透過する無色透明のアクリルを材料として成形されており、楕円形状の透光部４０を備えている。この透光部４０の外周縁からは、透光部材１８が枠部材１６に嵌め込まれたときに、枠部材１６の周壁２２の内側に嵌合する筒状の周壁４２が立設している。
【００４１】
この周壁４２には、透光部材１８が枠部材１６に嵌め込まれたときに、枠部材１６の立壁２２Ａと対向する立壁４４Ａと、切欠部３１と対向する立壁４４Ｂが形成されている。また、立壁４４Ｂの外面には、爪部４４が設けられており、透光部材１８が枠部材１６に嵌め込まれたときに、爪４４は切欠部３１から外側へ突出するようになっている。
【００４２】
図２（Ｃ）に示されるように、爪部４４は、一端が立壁４４Ｂの端部から外側に拡がりながら枠部２０へ向って延びる板状のガイド部４６と、このガイド部４６の端部から立壁４４Ｂと平行に枠部２０へ向って延びる板状の係止部４８を備えている。また、係止部４８には、内側に傾く傾斜面４８Ａが形成されている。
【００４３】
この構成により、爪部４４を貫通口１２へ挿入すると、ガイド部４６が貫通口１２の口縁１２Ａに当って内側へ撓み、さらに押し込んでいくと、ガイド部４６が元の位置に復帰すると共に、係止部４８の傾斜面４８Ａが口縁１２Ａと当って、爪部４４が貫通口１２から抜けないようになっている。
【００４４】
さらに、図３に示されるように、透光部材１８が枠部材１６に嵌め込まれたときに、枠部材１６の係止孔３２に対向する透光部材１８の周壁４２の外面には、周方向へ延びる係合突起５０が設けられている。
【００４５】
図２（Ａ）に示されるように、係合突起５０には、凸状の頂点から内側に傾きながら挿入方向へ向って延びる係止面５０Ａと、凸状の頂点から内側に傾きながら枠部２０へ向って延びるガイド面５０Ｂが形成されている。
【００４６】
この構成により、係合突起５０を係止孔３２へ挿入すると、ガイド面５０Ｂが周壁２２の端部と当って周壁２２を外側に押し拡げ、さらに押し込んでいくと、透光部４０の外表面と環状リブ１０１の縁部が当り、周壁２２が元の位置に復帰する。周壁２２が元の位置に復帰すると、係止面５０Ａと係止孔３２の縁部が当って、係合突起５０が係止孔３２から抜けないようになっている。
【００４７】
このように、透光部材１８と枠部材１６を組付けた状態で、飾り窓１４をドア１０の貫通口１２に取り付けることができるため、飾り窓１４の組付け作業性を向上させることができる。
【００４８】
また、枠部材１６に爪部２６、透光部材１８に爪部４４が設けられているため、枠部材１６及び透光部材１８を直接ドア１０の口縁１２Ａに取り付けることで、ドア１０の外表面に対する枠部材１６及び透光部材１８の位置精度を向上させることがでる。さらに、透光部材１８だけを試験的に口縁１２Ａに取り付けて取り付けた感じをつかむことができる。
【００４９】
また、リブ２４が口縁１２Ａを押圧するため、枠部材１６が貫通口１２に対してずれることがなく、また、貫通口１２の形状のバラツキをリブ２４で吸収し、ガタをなくすことができる。
【００５０】
また、透光部材１８の材料として無色透明のアクリルを採用することで、汎用性のある樹脂材料を使用することができ、安価な部品とすることができる。
【００５１】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、透光部材１８の材料としてアクリルを採用したが、これに替えて、ポリカーボネイト、ナイロン、又はＡＢＳ等の樹脂材料を採用してもよい。
【００５２】
また、上記実施形態では、透光部材１８の材料として無色透明の材料を採用したが、これに替えて、着色されている材料を採用してもよい。この場合には、透光部材１８を通してドア１０の内側を容易に目視することができず、プライバシーを保護した上で光を透過させることができる。
【００５３】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、爪部４４を透光部材１８に設けたが、透光部材１８に爪部４４を設けず、透光部材１８は枠部材１６にのみ固定される構造であってもよい。
【００５４】
次に、本発明の飾り窓の第２実施形態を図６〜図１０に従って説明する。なお、第１実施形態と同一部材については、同一符号を付してその説明を省略する。
【００５５】
図１０に示されるように、第１実施形態と違い、ドア１０の表面及び裏面から取付けられる飾り窓６０、６２は、矩形状とされており、ドア１０に形成された矩形状の貫通口６４に両側から取り付けられるようになっている。
【００５６】
図８に示されるように、飾り窓６０は、貫通口６４（図１０参照）へ嵌められる矩形状の雄型枠部材６６と、この雄型枠部材６６の開口部６７に取り付けられ、光を透過する透光部材６８を備えている。
【００５７】
雄型枠部材６６は、ＡＢＳ樹脂を材料として成形されており、ドア１０の貫通口６４へ挿入される矩形状の周壁７０を備えている。また、周壁７０の外周縁には、貫通口６４の周囲に形成されたザグリ面９２に嵌る枠部８５が張り出している。
【００５８】
図７（Ａ）に示されるように、枠部８５と周壁７０のあいだには、内側へ傾斜する傾斜面８５Ａが形成されている。
【００５９】
また、この周壁７０の縁部には、外形寸法の小さい雄型周壁７６が設けられ、周壁７０と雄型周壁７６の間には、段差７１が形成されている。
【００６０】
一方、図８に示されるように、周壁７０の外表面には、飾り窓６０の挿入方向（図８に示す矢印Ｂ方向）に延びる半円柱状のリブ８６が複数個設けられており、挿入方向の先端には、テーパー８６Ａが形成され、貫通口６４へ挿入しやすくなっている。このリブ８６の高さは、ドア１０に飾り窓６０が取り付けられた状態で、リブ８６が貫通口６４の口縁６４Ａを押圧するように決められている。
【００６１】
さらに、周壁７０の外表面には、周壁７０の角部を挟むように、爪部７２が凸状に設けられている。
【００６２】
図７（Ｂ）に示されるように、爪部７２は、周壁７０と平行に設けられた頂面７２Ｃと、頂面７２Ｃから内側に傾きながら挿入方向へ向って延びるガイド面７２Ａと、頂面７２Ｃから内側に傾きながら枠部８５へ向って延びる係止面７２Ｂを備えている。
【００６３】
この構成により、雄型枠部材６６を貫通口６４へ挿入すると、爪部７２のガイド面７２Ａが貫通口６４の口縁６４Ａと当って周壁７０と共に内側へ撓み、さらに押し込んでいくと、ガイド面７２Ａが元の位置に復帰し、係止面７２Ｂが口縁６４Ａと当って、爪部７２が貫通口６４から抜けないようになっている。
【００６４】
さらに、図８に示されるように、周壁７０において、爪部７２の隣には、矩形状の貫通孔である係止孔７４が設けられており、後述する透光部材６８に設けられた係合突起８２が係合するようになっている。
【００６５】
一方、透光部材６８は、光りを透過する無色透明のアクリルを材料として成形されている。図７（Ａ）に示されるように、透光部材６８の外形形状は、枠部８５の外形形状と挿入方向から見て同一とされており、さらに、透光部材６８の外表面端部には、テーバー面９６が設けられ、透光部材６８のドア１０からの突起感を軽減し、怪我をしないように配慮されている。
【００６６】
さらに、透光部材６８の裏面には、透光部材６８が雄型枠部材６６に嵌め込まれたときに、雄型枠部材６６の傾斜面８５Ａと面接触する傾斜面９８と、周壁７０の内側に嵌合すると共に、傾斜面９８の端部から延びる周壁８０（図８参照）が設けられている。
【００６７】
図８に示されるように、透光部材６８が雄型枠部材６６に嵌め込まれたときに、雄型枠部材６６の係止孔７４に対向する周壁８０には、周方向へ延びる係合突起８２が設けられている。
【００６８】
図７（Ａ）に示されるように、係合突起８２には、凸状の頂点から内側に傾きながら挿入方向へ向って延びるガイド面８２Ａと、凸状の頂点から内側に傾きながら枠部８５に向って延びる係止面８２Ｂが形成されている。
【００６９】
この構成により、係合突起８２を係止孔７４へ挿入すると、ガイド面８２Ａが周壁７０の端部と当って周壁７０を外側に押し拡げ、さらに押し込んでいくと、枠部８５と透光部材６８の裏面が当り、周壁７０が元の位置に復帰する。周壁７０が元の位置に復帰すると、係止面８２Ｂと係止孔７４の縁部が当って、係合突起８２が係止孔７４から抜けないようになっている。
【００７０】
一方、図６に示されるように、飾り窓６０と対向するようにドア１０に取り付けられる飾り窓６２の周壁７０の縁部には、内側に設けられた段差７３を介して外周面が周壁７０の外周面と同一面上とされる雌型周壁８４が設けられている。
【００７１】
この構成により、ドア１０に飾り窓６０と飾り窓６２が嵌め込まれると、飾り窓６０の雄型周壁７６が飾り窓６２の雌型周壁８４に嵌るようになっている。
【００７２】
なお、飾り窓６２は、雌型周壁８４を除いて、飾り窓６０と同一形状とされている。
【００７３】
また、図７（Ｂ）に示されるように、ドア１０の貫通口６４には、ドア１０の外表面９０に対して一段落ち込んだザクリ面９２が設けられており、外表面９０とザクリ面９２をつなぐ段差面９４は、透光部材６８の外周縁７８に対して一定距離を保って設けられている。
【００７４】
この構成によって、飾り窓６０の枠部８５は、ザクリ面９２へ固定され、ドア１０の外表面９０に対する飾り窓６０の突出量を減らすことができ、外観品質を向上させることができる。
【００７５】
また、図６に示されるように、ドア１０の表板１００と裏板１０２との間にドア１０の補強材としてのダンボール１０４が設けられているが、前述したように、ドア１０に飾り窓６０と飾り窓６２が嵌め込まれると、雄型周壁７６が雌型周壁８４に嵌るため、ダンボール１０４を外から視認することができず、外観品質を向上させることができる。
【図面の簡単な説明】
【００７６】
【図１】本発明の第１実施形態に係る飾り窓を示し、飾り窓がドアに取り付けられた状態を示した断面図である。
【図２】（Ａ）本発明の第１実施形態に係る飾り窓を示し、枠部材と透光部材の係合関係を表した拡大断面図である。（Ｂ）本発明の第１実施形態に係る飾り窓を示し、枠部材とドアの開口部との係合関係を表した拡大断面図である。（Ｃ）本発明の第１実施形態に係る飾り窓を示し、透光部材とドアの開口部との係合関係を表した拡大断面図である。
【図３】本発明の第１実施形態に係る飾り窓を示し、枠部材、及び透光部材を示した分解斜視図である。
【図４】（Ａ）（Ｂ）本発明の第１実施形態に係る飾り窓を示した斜視図である。
【図５】本発明の第１実施形態に係る飾り窓を示し、飾り窓、及びドアを示した斜視図である。
【図６】本発明の第２実施形態に係る飾り窓を示し、飾り窓がドアに取り付けられた状態を示した断面図である。
【図７】（Ａ）本発明の第２実施形態に係る飾り窓を示し、枠部材と透光部材の係合関係を表した拡大断面図である。（Ｂ）本発明の第２実施形態に係る飾り窓を示し、枠部材とドアの開口部との係合関係を表した拡大断面図である。
【図８】本発明の第２実施形態に係る飾り窓を示し、枠部材、及び透光部材を示した分解斜視図である。
【図９】本発明の第２実施形態に係る飾り窓を示し、枠部材、及び透光部材を示した分解斜視図である。
【図１０】本発明の第２実施形態に係る飾り窓を示し、飾り窓、及びドアを示した斜視図である。
【符号の説明】
【００７７】
１０        ドア（板体）
１２        貫通口
１２Ａ      口縁
１４        飾り窓
１６        枠部材
１７        開口部
１８        透光部材
２２        周壁
２４        リブ
２６        爪部（第一係合爪）
３１        切欠部
３２        係止孔（被係合部）
４２        周壁
４４        爪部（第二係合爪）
５０        係合突起（係合部）
６０        飾り窓
６２        飾り窓
６４        貫通口
６４Ａ      口縁
６６        雄型枠部材
６７        開口部
６８        透光部材
７０        周壁
７２        爪部（第一係止爪）
７４        係止孔（被係合部）
７６        雄型周壁
８０        周壁
８２        係合突起（係合部）
８４        雌型周壁
８５        枠部（フランジ部）
９２        ザクリ面
【図１】
2008214861.tif 000003
【図２】
2008214861.tif 000004
【図３】
2008214861.tif 000005
【図４】
2008214861.tif 000006
【図５】
2008214861.tif 000007
【図６】
2008214861.tif 000008
【図７】
2008214861.tif 000009
【図８】
2008214861.tif 000010
【図９】
2008214861.tif 000011
【図１０】
2008214861.tif 000012